(57)【要約】【課題】簡単な構造で、システム天井のグリッドに所定の角度又は任意の角度で設置することのできるシステム天井用照明器具を提供すること。【解決手段】下面が開口され内部にランプ５やランプ５の点灯装置６などが設けられた箱状の器具本体１と、両端部にＴバーへの取付け部２３が設けられ器具本体１の天板２に取付けられるＴバー取付金具２０とを有し、このＴバー取付金具２０を器具本体１の長手方向と直交し又はある角度で傾向けて取付けるようにした。【選択図】図１
2011249068.tif 000002
【特許請求の範囲】
【請求項１】
下面が開口され内部にランプや該ランプの点灯装置などが設けられた箱状の器具本体と、両端部にＴバーへの取付け部が設けられ前記器具本体の天板に取付けられるＴバー取付金具とを有し、
該Ｔバー取付金具を前記器具本体の長手方向と直交し又はある角度で傾向けて取付けることを特徴とするシステム天井用照明器具。
【請求項２】
前記器具本体の天板の中央部近傍に、仮想円周上に対向する複数対の穴からなる器具固定穴、又は対向する円弧状の穴からなる器具固定穴を設け、前記Ｔバー取付金具の中央部近傍に、前記器具固定穴の対向する穴又は円弧状の対向する穴の間隔に対応した間隔で一対の取付穴を設けたことを特徴とする請求項１記載のシステム天井用照明器具。
【請求項３】
前記Ｔバー取付金具の中央部近傍に、仮想円周上に対向する複数対の穴からなる器具固定穴、又は対向する円弧状の穴からなる器具固定穴を設け、前記器具本体の天板の中央部近傍に、前記器具固定穴の対向する穴又は円弧状の対向する穴の間隔に対応した間隔で一対の取付穴を設けたことを特徴とする請求項１記載のシステム天井用照明器具。
【請求項４】
前記Ｔバー取付金具が取付けられた器具本体をシステム天井のグリッド内に挿入し、前記Ｔバー取付金具を前記グリッドを構成するＴバーに取付けることを特徴とする請求項１〜３のいずれかに記載のシステム天井用照明器具。
【発明の詳細な説明】
【技術分野】
【０００１】
本発明は、システム天井に取付けられる照明器具に係り、より詳しくは、Ｔバーがグリッド状に組み込まれたシステム天井に対して、所定の角度又は任意の角度で取付けることのできるシステム天井用照明器具に関するものである。
【背景技術】
【０００２】
従来のグリッド天井などのシステム天井に取付けられる照明器具は、器具本体の両側又は前後に設けた取付金物により、Ｔバーに取付けられていた（例えば、特許文献１参照）。
【先行技術文献】
【特許文献】
【０００３】
【特許文献１】特開２００３−１７３７１５号公報（第４−５頁、図１）
【発明の概要】
【発明が解決しようとする課題】
【０００４】
特許文献１の照明器具は、システム天井のグリッドを構成するＴバーに対して照明灯が平行又は直交した状態でしか取付けることができないため、在来天井の場合のように、照明器具の取付角度を自由に設定することができず、天井面に照明器具をレイアウトする際の自由度が制約されていた。
【０００５】
本発明は、上記の課題を解決するためになされたもので、簡単な構造でシステム天井のグリッドに所定の角度又は任意の角度で設置することのできるシステム天井用照明器具を提供することを目的としたものである。
【課題を解決するための手段】
【０００６】
本発明に係るシステム天井用照明器具は、下面が開口され内部にランプや該ランプの点灯装置などが設けられた箱状の器具本体と、両端部にＴバーへの取付け部が設けられ前記器具本体の天板に取付けられるＴバー取付金具とを有し、該Ｔバー取付金具を前記器具本体の長手方向と直交し又はある角度で傾向けて取付けるようにしたものである。
【発明の効果】
【０００７】
本発明によれば、照明器具をシステム天井のグリッドに所定の角度又は任意の角度で設置することができるので、簡単な構造で、天井面に照明器具をレイアウトする場合の自由度を大幅に拡大することができる。
【図面の簡単な説明】
【０００８】
【図１】本発明の実施の形態１に係るシステム天井用照明器具の斜視図である。
【図２】図１の分解平面図である。
【図３】図１の断面図である。
【図４】器具本体にＴバー取付金具を取付けた状態を示す上面図である。
【図５】図４のＡ−Ａ断面図である。
【図６】システム天井のグリッドの説明図である。
【図７】図６のグリッドに照明器具を取付けた状態を示す説明図である。
【図８】図７の器具本体とＴバーとの間の空間部に天井材を取付けた状態を示す説明図である。
【図９】図８の上面図及びそのＢ−Ｂ断面図である。
【図１０】Ｔバー取付金具を角度θで器具本体に取付けた照明器具をグリッドに取付けた状態を示す説明図である。
【図１１】本発明の実施の形態２に係るシステム天井用照明器具の分解平面図である。
【図１２】図１１の器具本体にＴバー取付金具を取付けた状態を示す上面図である。
【図１３】図１２の他の例を示す上面図である。
【発明を実施するための形態】
【０００９】
［実施の形態１］
図１は本発明の実施の形態１に係るシステム天井用照明器具の斜視図、図２は図１の分解平面図、図３は図１の断面図である。
本実施の形態に係るシステム天井用照明器具（以下、単に照明器具という）は、器具本体１と、この器具本体１に一体的に固定されてシステム天井のＴバーに取付けられるＴバー取付金具２０とからなっている。
【００１０】
器具本体１は、下面が開口された細長い箱状に形成されており、長手方向の両側壁の下端部には外方に折り曲げられたフランジ３が設けられている。また、天板２には、長手方向の中央部近傍を中心Ｏとする仮想円周上の中心を通る短手方向に一対の基準取付穴４ａ，４ａが設けられており、この基準取付穴４ａ，４ａから仮想円上の前後において、中心Ｏから角度θ（例えば、θ：４５°）の位置に４つの穴を設け、中心Ｏを通り対向する各一対の斜め取付穴４ｂ，４ｂと４ｃ，４ｃが形成されている。なお、以下の説明では、これら基準取付穴４ａ，４ａ及び斜め取付穴４ｂ，４ｂ、４ｃ，４ｃを一括して、器具固定穴４と記すことがある。
【００１１】
また、器具本体１内には、内部に取付けられたランプ５を点灯させる点灯装置６と、ランプ５が発する光を反射させる反射板７と、この反射板７を器具本体１内に固定する固定具８と、この固定具８に取付けられ、ランプ５が着脱可能に装着されるランプソケット９と、ランプホルダ１０とが設けられている。
【００１２】
Ｔバー取付金具２０は、後述のシステム天井のグリッドの幅とほぼ等しい長さの帯状の本体部２１と、本体部２１の両端部が下方に折り曲げられた取付腕２２とによりほぼコ字状に形成されており、取付腕２２の先端部には断面ほぼｈ状のＴバー係合部２３が設けられている。なお、本体部２１及び取付腕２２の両縁部には、撓みや捩れを抑制するための補強片２１ａ，２２ａが設けられている。
【００１３】
そして、本体部２１の長手方向の中央部近傍には、器具本体１の天板２に設けた基準取付穴４ａ，４ａと同じ間隔で、長手方向と平行に一対の取付穴２４が設けられている。
【００１４】
このＴバー取付金具２０は、図４、図５に示すように、取付穴２４と器具本体１に設けたいずれかの器具固定穴４に挿通されたねじ２５により、器具本体１の天板２上に一体的に固定される。
この場合、Ｔバー取付金具２０を、取付穴２４により器具本体１の基準取付穴４ａ，４ａに取付ければ、Ｔバー取付金具２０は、図４に示すように、器具本体１の長手方向と直交して取付けられる。また、斜め取付穴４ｂ，４ｂ又は４ｃ，４ｃに取付ければ、Ｔバー取付金具２０は器具本体１の長手方向に対して、角度θで斜めに取り付けられる。
【００１５】
次に、本実施の形態に係る照明器具のシステム天井への取付け手順の一例について説明する。
図６に示すように、システム天井３０は、フランジを下にしてＴバー３１ａ，３１ａと３１ｂ，３１ｂ（以下、これらを一括してＴバー３１と記すことがある）が井桁に組み込まれ、方形のグリッド３２が形成されている。なお、以下の説明では、グリッド３２に通常の状態、つまり、Ｔバー取付金具２０が直行して器具本体１に取付けられている場合の照明器具を、グリッド３２へ取付ける場合について説明する。
【００１６】
先ず、図７に示すように、グリッド３２内に照明器具を挿入し、Ｔバー取付金具２０をＴバー３１上に位置させ、その係合部２３を器具本体１と平行するＴバー３１ａ，３１ａのウエブに係合する。これにより、器具本体１の長手方向の両端面の下端部は、これと対向するＴバー３１ｂ，３１ｂのフランジ上に載置されて、Ｔバー取付金具２０の係合部２３が係合したＴバー３１ａ，３１ａとほぼ平行に取付けられ、器具本体１の両側面とＴバー３１ａ，３１ａとの間には空間部が形成される。
【００１７】
次に、図８、図９に示すように、この空間部に長方形状の天井材３３を挿入し、器具本体１の側壁の下端部に設けたフランジ３と、Ｔバー３１のフランジの上に載置して取付け、空間部を閉塞して天井面を形成する。
【００１８】
図１０は本実施の形態の他の例の説明図である。
本例は、Ｔバー取付金具２０の取付穴２４を、器具本体１の天板２に設けた斜め取付穴４ｂ，４ｂにねじ２５により固定したもので、これにより、Ｔバー取付金具２０は器具本体１に対してθ°（例えば、θ：４５°）傾いて取付けられる。なお、Ｔバー取付金具２０を器具本体１の他方の斜め取付穴４ｃ，４ｃに取付ければ、Ｔバー取付金具２０は反対方向にθ°傾いて器具本体１に取付けられる。
【００１９】
このようにして器具本体１に取付けられたＴバー取付金具２０を、グリッド３２の対向するＴバー（例えば、３１ｂ，３１ｂ）に取付けると、器具本体１はグリッド３２内にθ°傾いてセットされる。なお、本例においても、器具本体１とＴバー３１との間に形成された空間部は、ほぼ三角形状の４枚の天井材３３により閉塞される。
【００２０】
本実施の形態によれば、Ｔバー取付金具２０を、器具本体１に対して直交して取付け、又は所定の角度θで斜めに取付けることにより、システム天井３０のグリッド３２に、Ｔバー３１ａ，３１ａ（又は３１ｂ，３１ｂ）と平行に、又はＴバー３１に対して所定の角度θ°傾けて取付けることができるので、簡単な構造で、天井面に照明器具をレイアウトする場合の自由度を、大幅に拡大することができる。
【００２１】
［実施の形態２］
図１１は本発明の実施の形態２に係る照明器具の分解図である。なお、実施の形態１と同じ部分には、同じ符号を付してある。
本実施の形態は、器具本体１の天板２の長手方向の中央部近傍に、中心Ｏとする仮想円周を４等分し、そのうちの斜めに対向する位置の仮想円周に沿って円弧状の穴（スリット）４ｄ，４ｄを設け、この円弧状の穴４ｄ，４ｄを器具固定穴４としたものである。
【００２２】
本実施の形態によれば、図１２に示すように、円弧状の穴４ｄ，４ｄの天板２の短手方向に対向する端部にＴバー取付金具２０を固定することにより、Ｔバー取付金具２０を器具本体１の長手方向と直交して取付けることができる。
【００２３】
また、図１３に示すように、円弧状の穴４ｄ，４ｄの中心を通る線上の対向する位置にＴバー取付金具２０を取付けることにより、Ｔバー取付金具２０を、器具本体１と直交する位置から平行する位置まで、９０°の範囲で任意の位置に取付けることができる。
【００２４】
本実施の形態によれば、実施の形態１の場合と同様の効果が得られるが、さらに、システム天井３０のグリッド３２内における器具本体１の取付角度を、任意かつより広範囲に変えることができるため、天井への取付けのレイアウトの自由度をさらに拡大することができ、その上取付角度の微調整も行うことができるので、より高い効果を得ることができる。
【００２５】
上記の説明では、器具本体１の天板２に複数の穴４ａ〜４ｃ又は円弧状の穴４ｄからなる器具固定穴４を設け、Ｔバー取付金具２０に器具固定穴４に対応して取付穴２４を設けた場合を示したが、Ｔバー取付金具２０の長手方向の中央部近傍に器具固定穴４を設け、器具本体１の天板２にこれに対応して取付穴２４を設けてもよい。
【００２６】
また、Ｔバー取付金具２０の折曲げ部２２の先端部に係合部２３を設け、この係合部２３をＴバー３１のウエブに係止して取付ける場合を示したが、Ｔバー取付金具２０を他の手段によりＴバー３１に取付けるようにしてもよい。
【符号の説明】
【００２７】
１  器具本体、２  天板、４  器具固定穴、５  ランプ、２０  Ｔバー取付金具、２３  係合部、２４  取付穴、３０  システム天井、３１  Ｔバー、３２  グリッド。
【図１】
2011249068.tif 000003
【図２】
2011249068.tif 000004
【図３】
2011249068.tif 000005
【図４】
2011249068.tif 000006
【図５】
2011249068.tif 000007
【図６】
2011249068.tif 000008
【図７】
2011249068.tif 000009
【図８】
2011249068.tif 000010
【図９】
2011249068.tif 000011
【図１０】
2011249068.tif 000012
【図１１】
2011249068.tif 000013
【図１２】
2011249068.tif 000014
【図１３】
2011249068.tif 000015